(57)【要約】      （修正有）【課題】照明ダウンライトを提供する。【解決手段】裏蓋１と、裏蓋に接続されたライト本体３と、裏蓋内に設けられた駆動部材と、ライト本体内に設けられて、かつ駆動部材に接続された光源モジュールと、光源モジュールの一方の側に設けられた拡散板７、とを含む。拡散板は、弾性を備える。裏蓋から遠く離れるライト本体の一方の側に収納溝３１が設けられている。光源モジュール及び拡散板は、いずれも収納溝内に設けられている。拡散板は、収納溝の内部に係合され、その辺縁が収納溝の側壁に密着するように嵌め合い、密閉空間を形成するように収納溝と嵌め合う。従って、防水シリカゲルリングを必要とせず、良い防水効果を有する。また、ライト本体に接続されている蓋板を設置する必要がないため、ダウンライトの全体の高さが低くなり、コストを著しく低下させると同時に、小型になり、包装ボックスのコストを低下させる。【選択図】図１
0003221380.tif 000002
【実用新案登録請求の範囲】
【請求項１】
裏蓋と、
前記裏蓋に接続されたライト本体と、
前記裏蓋内に設けられた駆動部材と、
前記ライト本体内に設けられて、かつ前記駆動部材に電気的に接続された光源モジュールと、前記光源モジュールの一方の側に設けられた拡散板と、を含み、
前記拡散板は、弾性を備え、
前記裏蓋から遠く離れる前記ライト本体の一方の側に収納溝が設けられており、
前記光源モジュール及び前記拡散板は、いずれも前記収納溝内に設けられており、
前記拡散板は、その辺縁が前記収納溝の側壁に密着するように嵌め合うことを特徴とする照明ダウンライト。
【請求項２】
前記収納溝の側壁に凹溝が設けられており、
前記拡散板は、前記凹溝に係合され、かつ前記凹溝と締り嵌めし、又は
前記収納溝の側壁に凸台が設けられており、
前記拡散板は、前記凸台と締り嵌めすることを特徴とする請求項１に記載の照明ダウンライト。
【請求項３】
前記拡散板は、ポリウレタン材料又はシリカゲルで製造されていることを特徴とする請求項１に記載の照明ダウンライト。
【請求項４】
前記光源モジュールは、前記収納溝の側壁に密着するように設置された基板と、
前記基板の内表面に間隔を置いて設けられた複数のＬＥＤ光源と、を含むことを特徴とする請求項１に記載の照明ダウンライト。
【請求項５】
前記基板は、フレキシブルプリント回路基板又は導熱軟質アルミ基板であることを特徴とする請求項４に記載の照明ダウンライト。
【請求項６】
さらに、前記光源モジュールに近い前記拡散板の一方の側に設けられて、かつ前記収納溝内に位置する導光板を含み、
前記導光板は、入光面を備え、
前記光源モジュールは、前記導光板を取り囲むように設置されており、
前記ＬＥＤ光源は、前記入光面に向けて発光することを特徴とする請求項４に記載の照明ダウンライト。
【請求項７】
さらに、前記拡散板から遠く離れる前記導光板の一方の側に設けられて、かつ前記収納溝内に位置する反射紙と、
前記導光板から遠く離れる前記反射紙の一方の側に設けられて、かつ前記収納溝内に位置するＥＶＡワッシャーと、を含むことを特徴とする請求項６に記載の照明ダウンライト。
【請求項８】
さらに、前記裏蓋の両側に設けられた装着部材を含むことを特徴とする請求項１から請求項７のいずれか一項に記載の照明ダウンライト。
【請求項９】
前記装着部材は、装着部と、前記装着部に一体接続されている板バネと、を含み、
前記装着部は、ボルトと螺子との嵌め合いにより前記裏蓋にロックされていることを特徴とする請求項８に記載の照明ダウンライト。
【請求項１０】
前記装着部材は、ネジリバネと、及び前記ネジリバネに接続されている当接部と、を含み、
前記ネジリバネは、前記裏蓋に設けられていることを特徴とする請求項８に記載の照明ダウンライト。
【考案の詳細な説明】
【技術分野】
【０００１】
本考案は、照明技術分野に属し、特に照明ダウンライトに関する。
【背景技術】
【０００２】
従来のＬＥＤ（Ｌｉｇｈｔ  Ｅｍｉｔｔｉｎｇ  Ｄｉｏｄｅ、発光ダイオード）照明ダウンライトは、通常直下式出光を採用する。詳細に言えば、ＬＥＤ照明ダウンライトは、ライト本体と、ライト本体に接続された蓋板と、ライト本体と蓋板との間の光源モジュールと、を含み、通常防水シリカゲルリングの追加又はにかわにより防水の効果を達成する。例えば、ライト本体と蓋板との間に防水シリカゲルリングの追加又はにかわを使い、使用過程において、水蒸気の進入によって光源モジュールの稼働に悪い影響を与えることを防止する。それによって構造コスト及び組立てコストを増やし、蓋板を設置する際により大きな高さを必要とするため、ダウンライトの全体の占用空間が大きく、包装コストを高める。
【考案の概要】
【考案が解決しようとする課題】
【０００３】
本考案の目的は、従来の技術のＬＥＤ照明ダウンライトのコストが高く、本体全体の占用空間が大きいという技術的問題を解決するために照明ダウンライトを提供することにある。
【課題を解決するための手段】
【０００４】
本考案は、上記の技術的問題を解決するために、以下の技術的手段を採用する。
照明ダウンライトは、
裏蓋と、
上記裏蓋に接続されたライト本体と、
上記裏蓋内に設けられた駆動部材と、
上記ライト本体内に設けられて、かつ前記駆動部材に電気的に接続された光源モジュールと、
上記光源モジュールの一方の側に設けられた拡散板と、を含む。
上記拡散板は、弾性を備える。
上記裏蓋から遠く離れる上記ライト本体の一方の側に収納溝が設けられている。
上記光源モジュール及び上記拡散板は、いずれも上記収納溝内に設けられている。
上記拡散板は、その辺縁が上記収納溝の側壁に密着するように嵌め合う。
【０００５】
さらに、上記収納溝の側壁に凹溝が設けられている。
上記拡散板は、上記凹溝中に係合され、かつ前記凹溝と締り嵌めする。又は
上記収納溝の側壁に凸台が設けられている。
上記拡散板は、上記凸台と締り嵌めする。
さらに、上記拡散板は、ポリウレタン材料又はシリカゲルで製造されている。
さらに、上記光源モジュールは、前記収納溝の側壁に密着するように設置された基板と、
上記基板の内表面に間隔を置いて設けられた複数のＬＥＤ光源と、を含む。
さらに、上記基板は、フレキシブルプリント回路基板又は導熱軟質アルミ基板である。
【０００６】
さらに、照明ダウンライトは、上記光源モジュールに近い上記拡散板の一方の側に設けられて、かつ上記収納溝内に位置する導光板を含む。
上記導光板は、入光面を備える。
上記光源モジュールは、上記導光板を取り囲むように設置されている。
上記ＬＥＤ光源は、上記入光面に向けて発光する。
さらに、上記照明ダウンライトは、上記拡散板から遠く離れる上記導光板の一方の側に設けられて、かつ上記収納溝内に位置する反射紙と、
上記導光板から遠く離れる上記反射紙の一方の側に設けられて、かつ上記収納溝内に位置するＥＶＡワッシャーと、を含む。
【０００７】
さらに、上記照明ダウンライトは、上記裏蓋の両側に設けられた装着部材を含む。
さらに、上記装着部材は、装着部と、上記装着部に一体接続されている板バネと、を含む。
上記装着部は、ボルトと螺子との嵌め合いにより上記裏蓋にロックされている。
さらに、上記装着部材は、ネジリバネと、及び上記ネジリバネに接続されている当接部と、を含む。
上記ネジリバネは、上記裏蓋に設けられている。
【考案の効果】
【０００８】
本考案が提供した照明ダウンライトは、裏蓋と、裏蓋に接続されたライト本体と、裏蓋内に設けられた駆動部材と、ライト本体内に設けられて、かつ駆動部材に電気的に接続された光源モジュールと、光源モジュールの一方の側に設けられた拡散板、とを含む。拡散板は、弾性を備える。裏蓋から遠く離れるライト本体の一方の側に収納溝が設けられている。光源モジュール及び拡散板は、いずれも収納溝内に設けられている。拡散板は、収納溝の内部に係合され、その辺縁が収納溝の側壁に密着するように嵌め合い、密閉空間を形成するように収納溝と嵌め合う。従って、防水シリカゲルリングを必要とせず、良い防水効果を有する。また、ライト本体に接続されている蓋板を設置する必要がないため、ダウンライトの全体の高さが低く、コストを著しく低下させると同時に、小型になり、包装ボックスのコストを低下させる。
【図面の簡単な説明】
【０００９】
【図１】本考案の実施例による照明ダウンライトの立体構造概略図である。
【図２】本考案の実施例による照明ダウンライトの立体構造概略図である。
【図３】本考案の実施例による照明ダウンライトの分解構造概略図である。
【図４】本考案の実施例による照明ダウンライトの平面構造概略図である。
【図５】図４におけるＢ−Ｂ線の断面図である。
【図６】本考案の実施例による照明ダウンライトの裏蓋の立体構造概略図である。
【図７】本考案の実施例による照明ダウンライト本体の立体構造概略図である。
【図８】本考案の実施例による別の照明ダウンライトの立体構造概略図である。
【考案を実施するための形態】
【００１０】
本考案の技術的解決手段、目的及び利点をより明らかにするために、以下、図面及び実施例を結合させて本考案をより詳細に説明する。以下に説明した具体的な実施例は、本考案を解釈するためものに過ぎず、本考案を限定するためものではないことを理解すべきである。
【００１１】
ある部品が他の部品に「固定される」又は「設置される」場合、それが他の部品に直接的に又は間接的に位置してもよいというふうに理解するために説明する必要がある。ある部品が他の部品に「接続される」場合、それが他の部品に直接的に又は間接的に接続されてもよい。専門用語において、「上」、「下」、「左」、「右」等が標示した方位又は位置関係は、図面に示された方位又は位置関係に基づいて本考案を説明しやすいためのものに過ぎず、装置又は部品が特定の方位を有し、そして特定の方位で構築すると操作する必要があることを指す又は暗示するためのものではないため、本考案を限定するためものではないことを理解すべきである。また、「第１」、「第２」などの用語は説明の目的のみに用いられ、相対重要性を指す又は暗示する又は提出した技術的特徴の数量を暗示するためのものではないことを理解すべきである。「複数」の意味は、明確で具体的な限定以外、２つ又は２つ以上を指す。
本考案の上記の技術的解決手段を説明するために、具体的な図面と実施例を結合させてより詳細に説明する。
【００１２】
図１から図３に示されているように、本考案の実施例が提供した照明ダウンライトは、裏蓋１と、裏蓋１に接続されたライト本体３と、裏蓋１内に設けられた駆動部材２と、ライト本体内３に設けられて、かつ駆動部材２に電気的に接続された光源モジュール６と、光源モジュール６の一方の側に設けられた拡散板７、とを含む。
裏蓋１から遠く離れるライト本体３の一方の側に収納溝３１が設けられている。
光源モジュール６及び拡散板７は、いずれも収納溝３１内に設けられている。
拡散板７は、収納溝３１の内部に係合され、その辺縁が収納溝３１の側壁に密着するように嵌め合う。
【００１３】
本考案の実施例による照明ダウンライトは、裏蓋１と、裏蓋１に接続されたライト本体３と、裏蓋１内に設けられた駆動部材２と、ライト本体内３に設けられて、かつ駆動部材２に電気的に接続された光源モジュール６と、光源モジュール６の一方の側に設けられた拡散板７、とを含む。拡散板７は、弾性を備える。
裏蓋１から遠く離れるライト本体３の一方の側に収納溝３１が設けられている。
光源モジュール６及び拡散板７は、いずれも収納溝３１内に設けられている。
拡散板７は、収納溝３１の内部に係合され、その辺縁が収納溝３１の側壁に密着するように嵌め合い、密閉空間を形成するように収納溝と嵌め合う。従って、防水シリカゲルリングを必要とせず、良い防水効果を有する。また、ライト本体３に接続されている蓋板を設置する必要がないため、ダウンライトの全体の高さが低く、コストを著しく低下させると同時に、小型になり、包装ボックスのコストを低下させる。
【００１４】
本考案の実施例において、図３、図５及び図６に示されているように、ライト本体３に向ける裏蓋１の一方の側に装着溝１１が設けられている。駆動部材２は、装着溝１１中に固定されている。限定されずに、螺子９１により装着溝１１の底部に固定されてもよい。ライト本体３は、密閉空間を形成し、良い保護作用を果たし、水蒸気が入って駆動部材２の寿命に悪い影響を与えることを防止するように、装着溝１１の開口に設置されている。選択として、駆動部材２に第１貫通孔２１が設けられている。第１貫通孔２１に対応した装着溝１１の底面に螺子穴１１１が設けられている。螺子９１は、第１貫通孔２１を貫通して螺子穴１１１のねじ山に接続されている。それによって、駆動部材２を装着溝１１の底部に固定する。その中、駆動部材２は、放熱のために、装着溝１１の底面に密着しない。
【００１５】
本考案の実施例において、図５と図７に示されているように、収納溝３１の側壁に凹溝３１１が設けられている。拡散板７は、凹溝３１１中に係合され、かつその辺縁が凹溝３１１と締り嵌めする。それによって、拡散板７の辺縁は、収納溝３１の側壁にシームレスで接続し、良い密封効果を備え、水蒸気が拡散板７と収納溝３１との間の密閉空間内に入ることを効果的に防止し、光源モジュール６の使用寿命を延ばすことができる。図５に示されているように、凹溝３１１に対応した収納溝の側壁の外側に凸台が形成されている。つまり、本実施例において、収納溝３１の側壁が外に突出することにより凹溝３１１を形成する。もちろん、実際情況に応じて、収納溝３１の側壁に収納溝３１の内部に突出する凸台を形成してもよい。拡散板７は、凸台に緊密に接続され、同様にその辺縁が収納溝３１の側壁にシームレスに接続し、良い密封効果を備える。
【００１６】
選択として、拡散板７は、弾性材料で製造されている。好ましくは、拡散板７が弾性材料で製造されているため、一定の弾性を有する。拡散板７は、ポリウレタン材料（Ｐｏｌｙｕｒｅｔｈａｎｅ、ＰＵ）又はシリカゲルで製造されていることができるが、これらに限定されない。ポリウレタンの剛性は、弾性係数により測定される。ゴムの弾性係数は、通常１Ｍｐａ〜１０Ｍｐａであるが、ポリウレタンの弾性係数は、１０Ｍｐａ〜１０００Ｍｐａである。プラスチック（ポリアミドプラスチック、アクリロニトリルブタジエンスチレン、ポリ炭酸エステル、ポリホルムアルデヒド樹脂等）の弾性係数は、１０００Ｍｐａ〜１００００Ｍｐａである。ポリウレタンの硬度範囲は、Ｓｈｏｒｅ  Ａ  ２５〜Ｓｈｏｒｅ  Ｄ  ８０でかなり広く、また硬度範囲内に高い弾性を有するため、弾性体としてゴムとプラスチックとの間の材料である。さらに、ポリウレタンは、良い光学性能を備え、光源モジュール６からの光線を拡散し、−４０℃〜１６０℃の温度範囲内に柔軟性を有する。拡散板７を製造する際に、可塑剤がなくても加工処理を行うことができるため、プロセスが簡単である。最後に、ポリウレタンは、耐天候性、耐摩耗性、耐引裂き性、耐干渉強度、耐高エネルギー放射線性能等を有するため、拡散板７の材料として最適である。
選択として、拡散板７は、透明また乳白色である。発光が均一で眩しくないように、拡散板の組成材料に拡散剤を加えてもよい。
【００１７】
具体的に、図３と図５に示されているように、本考案の照明ダウンライトは、側から発光する照明ダウンライトである。光源モジュール６は、収納溝３１の側壁に密着するように設置された基板６１と、基板６１の内表面に間隔を置いて設けられた複数のＬＥＤ光源６２と、を含む。光源モジュール６は、収納溝３１の側壁に付着して環状を呈する。照明ダウンライトは、さらに、光源モジュール６に近い拡散板７の一方の側に設けられて、かつ収納溝３１内に位置する導光板８２と、を含む。導光板８２は、環状光源モジュール６の中央部に位置し、入光面及び出光面を有する。光源モジュール６は、導光板８２を取り囲むように設置されている。ＬＥＤ光源６２は、入光面に向けて発光する。出光面は、拡散板７に向けるように設置されている。
【００１８】
選択として、基板６１は、フレキシブルプリント回路基板（Ｆｌｅｘｉｂｌｅ  Ｐｒｉｎｔｅｄ  Ｃｉｒｃｕｉｔ、ＦＰＣ）である。フレキシブルプリント回路基板は、導電層と、コア層と、を含む。その中、導伝層は、通常は銅（Ｃｕ）箔である一方、コア層は、通常はポリイミド（ＰＩ）である。もちろん、実際情況に応じて、基板６１は、導熱軟質アルミ（ＡＩ）基板であってもよい。本考案は限定されず、基板６１は、柔軟性を備えればよい。
【００１９】
本考案の実施例において、照明ダウンライトは、さらに、拡散板７から遠く離れる導光板８２の一方の側に設けられて、かつ収納溝３１内に位置する反射紙８１と、導光板８２から遠く離れる反射紙８１の一方の側に設けられて、かつ収納溝３１内に位置するＥＶＡ（Ｅｔｈｙｌｅｎｅ−ｖｉｎｙｌ  Ａｃｅｔａｔｅ  Ｃｏｐｏｌｙｍｅｒは、ビニル−酢酸ビニル共重合体）ワッシャー５と、を含む。光源モジュール６からの光は、導光板８２の入光面から導光板８２の内部に入り、最後に出光面から射出される。しかし、一部の光は、導光板８２の底面から射出されるため、導光板８２の底面の一方の側に反射紙８１を設置する必要がある。導光板８２の底面から射出される光は、再び導光板８２の内部に戻るように反射し、最後に出光面から射出され、照明ダウンライトの輝度を向上させる。
【００２０】
本考案の実施例において、照明ダウンライトは、さらに、裏蓋１の両側に設けられた装着部材４と、を含む。本考案の装着部材４の数が２つだけであるが、実際情況に応じて３つ、４つ、又はこれ以上でも設置してもよい。装着部材４は、装着部４１と、装着部４１に一体接続されている板バネ４２と、を含む。装着部４１は、裏蓋１に固定されている。板バネ４２は、外部使用環境に固定されるためのものである。もちろん、装着部材４は、固定機能を有する別の構造であってもよい。図８に示されているように、装着部材４は、ネジリバネ４３と、及びネジリバネ４３に接続されている当接部４４と、を含む構造であってもよい。ネジリバネ４３は、裏蓋１に設けられ、外部使用環境に固定されるためのものである。本実施例はここでは制限されない。
【００２１】
具体的に、装着部４１に第２貫通孔４１１が設けられている。裏蓋１の装着溝１１の底面に第２貫通孔４１１に対応した第３貫通孔１１２が設けられている。ライト本体３の収納溝３１の底面に第３貫通孔１１２に対応した第４貫通孔３１２が設けられている。ボルト９２は、装着部材４を裏蓋１に固定し、さらに裏蓋１をライト本体３に固定するように、第２貫通孔４１１、第３貫通孔１１２、及び第４貫通孔３１２を順次に貫通してナット９３に嵌め合う。
【００２２】
選択として、第４貫通孔３１２の形状は、ナット９３の形状に適合する。ナット９３が第４貫通孔３１２中に溶接されているため、工具を使わず、ボルト９２を回転してねじ山によりナット９３を固定し、操作が簡単で便利である。
【００２３】
上記は本考案の優れた実施例に過ぎず、本考案を制限するものではない。本考案の精神及び原則の内になされたあらゆる変更、等価取替及び改良等は、本考案の保護範囲内に含まれるはずである。
【符号の説明】
【００２４】
１  裏蓋
１１  装着溝
１１１  螺子穴
１１２  第３貫通孔
２  駆動部材
２１  第１貫通孔
３  ライト本体
３１  収納溝
３１１  凹溝
３１２  第４貫通孔
４  装着部材
４１  装着部
４１１  第２貫通孔
４２  板バネ
４３  ネジリバネ
４４  当接部
５  ＥＶＡワッシャー
６  光源モジュール
６１  基板
６２  ＬＥＤ光源
７  拡散板
８１  反射紙
８２  導光板
９１  螺子
９２  ボルト
９３  ナット
【図１】
0003221380.tif 000003
【図２】
0003221380.tif 000004
【図３】
0003221380.tif 000005
【図４】
0003221380.tif 000006
【図５】
0003221380.tif 000007
【図６】
0003221380.tif 000008
【図７】
0003221380.tif 000009
【図８】
0003221380.tif 000010